(57)【要約】【課題】喫煙者のタバコ煙を他の遊技者側に流れることを物理的に遮ることが可能であり、かつ、遊技者が非喫煙者であっても、邪魔に感じることを防止できる遮蔽装置を提供する。【解決手段】遊技機島１０１に取り付けられた状態において、遊技機島１０１の壁面の一部を形成する壁面形成部１５，２５と、展開することで喫煙に起因する煙を遮蔽する遮蔽部材２と、遮蔽部材２を収納する開放空間３４を備え、壁面形成部１５，２５は、開放空間３４を塞ぐ閉塞姿勢と、開放空間３４を外部に開放させる開放姿勢をとり、壁面形成部１５，２５の閉塞姿勢から開放姿勢への姿勢変更に伴って遮蔽部材２が開放空間３４から外部に展開する構成とする。【選択図】図３
2015116315.tif 000002
【特許請求の範囲】
【請求項１】
１又は複数の遊技機が並設してなる遊技機島に一体に設けられる遊技場用設備であって、
遊技機島に取り付けられた状態において、遊技機島の壁面の一部を形成する壁面形成部材と、展開することで喫煙に起因する煙を遮蔽する遮蔽部材と、遮蔽部材を収納する収納空間を備え、
前記壁面形成部材は、収納空間を塞ぐ閉塞姿勢と、収納空間を外部に開放させる開放姿勢をとり、
壁面形成部材の閉塞姿勢から開放姿勢への姿勢変更に伴って遮蔽部材が収納空間から外部に展開することを特徴とする遊技場用設備。
【請求項２】
前記壁面形成部材は、少なくとも２つの壁面形成部を有し、
前記遮蔽部材は、前記２つの壁面形成部に対応する遮蔽シートを有し、
前記遮蔽シートは、対応する壁面形成部とその一部が一体化されており、
前記閉塞姿勢において、前記２つの壁面形成部は、互いに隣接して配されており、
閉塞姿勢から開放姿勢への姿勢変更に伴って、前記２つの壁面形成部は、互いに離反する方向に回動し、遮蔽シートが展開されることを特徴とする請求項１に記載の遊技場用設備。
【発明の詳細な説明】
【技術分野】
【０００１】
本発明は、遊技場に設置される遊技場用設備に関する。特に本発明は、遊技者のタバコ煙を遮蔽する遮蔽部材を備えた遊技場用設備に関する。
【背景技術】
【０００２】
ぱちんこ機やスロット機等の遊技機を遊技できる遊技場は、遊技機の稼働台数を増加させるべく、できるだけ多くの遊技機を設置できるレイアウトがとられている。すなわち、このような遊技場では、複数の遊技機が群をなした遊技機島を備えており、その遊技機島が列状に並設された構成となっている。
より詳細に説明すると、この種の遊技機島は、遊技機をできる限り多く設置するために、遊技機を列状に密集させて並べられており、隣接する遊技機間の間隔が極めて狭く設定されている。すなわち、隣り合う遊技機をそれぞれ遊技する遊技者は、遊技機の並列方向に僅かに間隔をあけて着座することとなる。
そのため、隣り合う遊技者のうち、一方の遊技者が喫煙すると、他方の遊技者側にタバコ煙が流れてしまい、当該他方の遊技者に不快感を与えるおそれがあった。
そこで、最近の遊技場では、並設された遊技機同士の間（所謂台間）の位置に、吹き出しエアーによって喫煙者の煙草の煙等を遮断するエアーカーテン装置（特許文献１）や、物理的に喫煙者の煙草の煙等を遮断する分煙ボード（特許文献２）等が設けられている。
【先行技術文献】
【特許文献】
【０００３】
【特許文献１】特開平１０−１１８３２７号公報
【特許文献２】特開２０１３−２２０８４号公報
【発明の概要】
【発明が解決しようとする課題】
【０００４】
しかしながら、特許文献１に記載のエアーカーテン装置は、使用時に電力を消費するため、ランニングコストが嵩むという問題がある。また、特許文献１に記載のエアーカーテン装置は、遊技機島内部から給電線を取り出す必要があるとともに、頻繁にメンテナンスが必要となる。そのため、最近の遊技場では、電力を要さない分煙ボードの需要が高まっている。
一方、特許文献２に記載の分煙排煙装置は、物理的に喫煙者の煙草の煙等を遮断できるものの、仕切り板の一部が常に張り出した状態となる。例えば、隣り合う遊技者がともに喫煙しない場合には、仕切り板は必要のないものであるから、この張り出した仕切り板の存在は、単に遊技者の遊技空間を狭めるものとなる。そのため、喫煙しない遊技者が隣り合う場合において、遊技者が仕切り板を邪魔に感じてしまうおそれがあった。
【０００５】
そこで、本発明では、従来技術の問題点に鑑み、喫煙者のタバコ煙を他の遊技者側に流れることを物理的に遮ることが可能であり、かつ、遊技者が非喫煙者であっても、邪魔に感じることを防止できる遮蔽装置を提供することを課題とする。
【課題を解決するための手段】
【０００６】
上記した課題を解決するための請求項１に記載の発明は、１又は複数の遊技機が並設してなる遊技機島に一体に設けられる遊技場用設備であって、遊技機島に取り付けられた状態において、遊技機島の壁面の一部を形成する壁面形成部材と、展開することで喫煙に起因する煙を遮蔽する遮蔽部材と、遮蔽部材を収納する収納空間を備え、前記壁面形成部材は、収納空間を塞ぐ閉塞姿勢と、収納空間を外部に開放させる開放姿勢をとり、壁面形成部材の閉塞姿勢から開放姿勢への姿勢変更に伴って遮蔽部材が収納空間から外部に展開することを特徴とする遊技場用設備である。
【０００７】
本発明の構成によれば、遊技機島の壁面の一部を形成する壁面形成部材の姿勢変更を用いて遮蔽部材を収納空間から外部に展開させて煙を遮るものである。すなわち、壁面形成部材が閉塞姿勢を取る場合には、遮蔽部材が収納空間内に収納された状態で収納空間を塞ぐように壁面形成部材が遊技機島の壁面を形成するため、遮蔽部材が遊技者側に露出しない。すなわち、隣り合う遊技者がともに非喫煙者の場合であっても、遮蔽部材を邪魔に感じることはない。そのため、遊技者は快適に遊技することが可能である。
また、壁面形成部材を閉塞姿勢から開放姿勢に変更する場合には、壁面形成部材の姿勢の変更に伴って、遮蔽部材が収納空間から外部に展開されるので、遮蔽部材の存在によって、喫煙者の喫煙に起因する煙（タバコ煙）を他の遊技者側に流れることを物理的に遮蔽することができる。そのため、他の遊技者のタバコ煙に対する不快感を抑制することが可能である。
【０００８】
請求項２に記載の発明は、前記壁面形成部材は、少なくとも２つの壁面形成部を有し、前記遮蔽部材は、前記２つの壁面形成部に対応する遮蔽シートを有し、前記遮蔽シートは、対応する壁面形成部とその一部が一体化されており、前記閉塞姿勢において、前記２つの壁面形成部は、互いに隣接して配されており、閉塞姿勢から開放姿勢への姿勢変更に伴って、前記２つの壁面形成部は、互いに離反する方向に回動し、遮蔽シートが展開されることを特徴とする請求項１に記載の遊技場用設備である。
【０００９】
本発明の構成によれば、閉塞姿勢から開放姿勢への姿勢変更に伴って、２つの壁面形成部が互いに離反する方向に回動することによって遮蔽シートが展開されるので、大きく遮蔽シートが広がって、喫煙に起因する煙を遮蔽することが可能である。また、電力を使用しなくても、タバコ煙の他の遊技者への拡散を抑制することができる。
【００１０】
上記した発明は、前記遊技機島は、複数の遊技機が並設してなり、前記壁面形成部材の閉塞姿勢から開放姿勢への姿勢変更に連動して遮蔽部材が隣接する遊技機間を仕切るように展開されることとしてもよい。
【発明の効果】
【００１１】
本発明の構成によれば、喫煙者のタバコ煙を他の遊技者側に流れることを物理的に遮ることが可能である。また、遊技者が非喫煙者であっても、邪魔に感じることを防止できる。
【図面の簡単な説明】
【００１２】
【図１】本発明の第１実施形態に係る遊技機島を模式的に表す斜視図である。
【図２】図１の遊技機島から遊技場用設備を取り外した分解斜視図である。
【図３】図２の遊技場用設備の分解斜視図である。
【図４】図３の遮蔽部材の分解斜視図である。
【図５】図２の遊技場用設備の説明図であり、（ａ）は閉塞姿勢（不使用時）における遊技場用設備の斜視図であり、（ｂ）は開放姿勢（使用時）における遊技場用設備の斜視図である。
【図６】図２の遊技場用設備の説明図であり、閉塞姿勢（不使用時）における遊技場用設備の要部の断面図である。
【図７】図２の遊技場用設備の説明図であり、開放姿勢（使用時）における遊技場用設備の要部の断面図である。
【図８】本発明の他の実施形態に係る遊技機島を表す縦断面図である。
【図９】本発明の他の実施形態に係る遊技場用設備を表す斜視図である。
【図１０】本発明の他の実施形態に係る遊技場用設備を表す斜視図である。
【図１１】本発明の他の実施形態に係る遊技場用設備を表す斜視図である。
【図１２】本発明の他の実施形態に係る遊技機島を模式的に示した斜視図である。
【発明を実施するための形態】
【００１３】
以下に本発明の実施形態について詳細に説明する。
なお、以下の説明において、特に断りがない限り、上下左右の位置関係は、通常の設置位置を基準に説明する。
【００１４】
本実施形態の遊技場の構造は、図１のように、主に複数の遊技機１００（ぱちんこ機やスロット機等）を１つの群とした、いわゆる遊技機島１０１に適した構成であり、遊技場内においてはその遊技機島１０１が複数配されている。そこで、以下の説明においては、理解を容易にするために、１つの遊技機島１０１（遊技機群）に注目して説明する。
【００１５】
遊技機島１０１は、図１，図２から読み取れるように、所定台数分の遊技機取付部１０２と、それに対応する台数分の台間取付部１０３及び空間形成部１０４が設けられている。
そして、遊技機島１０１は、各遊技機取付部１０２に１台ずつ遊技機１００が設置されており、各台間取付部１０３に１台ずつ台間装置１０５が設置されている。さらに、本実施形態の遊技機島１０１では、空間形成部１０４に遊技場用設備１の一部が設置されている。
【００１６】
台間取付部１０３は、図２のように、台間装置１０５を取り付ける部位である。
台間装置１０５は、遊技機１００，１００間に設置される電子機器等であり、遊技媒体を貸し出す貸出機やその他の機器等を総称している。
【００１７】
空間形成部１０４は、遊技機１００，１００間の間隔を所定の間隔に調整する部位であり、図２のように、その内部が空洞となっている。
具体的には、空間形成部１０４は、図２に示されるように、遊技機側内壁部１０６と、台間側内壁部１０７と、天面側内壁部１１３と、底面側内壁部１１４を有している。
遊技機側内壁部１０６は、少なくとも遊技機取付部１０２との境界を形成する壁面である。
台間側内壁部１０７は、台間取付部１０３との境界を形成する壁面である。
そして、遊技機側内壁部１０６と台間側内壁部１０７は、台間方向（遊技機１００の並設方向）に所定の間隔を空けて対面しており、天面側内壁部１１３と底面側内壁部１１４は、天地方向に所定の間隔を空けて対面している。
すなわち、空間形成部１０４は、遊技機側内壁部１０６と、台間側内壁部１０７と、天面側内壁部１１３と、底面側内壁部１１４に囲まれた形成空間１０８が設けられている。
遊技機側内壁部１０６と台間側内壁部１０７は、遊技機島１０１の内外方向であって、且つ天地方向に対して垂直方向となる方向に、伸びた壁部である。
天面側内壁部１１３と底面側内壁部１１４は、遊技機島１０１の内外方向であって、且つ天地方向に伸びた壁部である。
【００１８】
遊技機島１０１は、図１，図２に示されるように遊技機１００の並設方向に沿って、膳板１１０が設けられている。
膳板１１０は、図３のように、遊技機１００を載置する載置部を備えた長板である。
【００１９】
なお、遊技機島１０１の内部構造においては、柱や梁などの構造体の他、各遊技機１００に遊技媒体（例えば、ぱちんこ球）を搬送する遊技媒体搬送装置（図示しない）、各遊技機１００から回収された遊技媒体が一時的に貯留される貯留タンク（図示しない）、回収された遊技媒体の汚れを除去し磨く遊技媒体研磨装置（図示しない）等の遊技機１００を動作させる際に関連する機器が配されているが、本発明においては特に関係がないため説明を省略する。
【００２０】
ここで、本実施形態の遊技場用設備１の説明に先立って、遊技機島１０１の各部位の位置関係について説明すると、遊技機島１０１は、図１，図２から読み取れるように遊技機１００の並設方向において、遊技機取付部１０２の片側に隣接して台間取付部１０３が備えられており、遊技機取付部１０２の反対側に隣接して空間形成部１０４が備えられている。
すなわち、遊技機島１０１は、遊技機１００の並設方向において、空間形成部１０４、台間取付部１０３、遊技機取付部１０２、空間形成部１０４、・・・の順に並んでいる。つまり、２つの空間形成部１０４の間に台間取付部１０３、遊技機取付部１０２が介在している。
別の観点から見ると、空間形成部１０４は、遊技機取付部１０２の片側であって、並設された遊技機取付部１０２の間にそれぞれ設けられている。また、空間形成部１０４は、台間取付部１０３の片側（遊技機取付部１０２と反対側）であって、並設された台間取付部１０３の間にそれぞれ設けられているとも言える。
【００２１】
続いて、本発明の特徴の一つである遊技場用設備１について説明する。
【００２２】
第１実施形態の遊技場用設備１は、遮蔽部材２が展開して喫煙者のタバコ煙を遮るものである。
遊技場用設備１は、図３のように、遮蔽部材２と、筐体部３と、接続部材５，６と、係合部材７を有している。
【００２３】
遮蔽部材２は、遊技機島１０１の壁面としての機能と、遮蔽部材の機能の双方の機能を備えており、図４のように、一対の上部遮蔽部１０と下部遮蔽部１１から形成されている。
【００２４】
上部遮蔽部１０は、図４のように、第１壁面形成部１５（壁面形成部材）と、第１骨組み部１６と、第１遮蔽シート１７（遮蔽シート）を有している。
第１壁面形成部１５は、空間形成部１０４の形成空間１０８（図２参照）を塞ぐ部位であり、具体的には、遊技機島１０１の壁面の一部を形成する化粧板である。第１壁面形成部１５は、略直角三角形状をしている。
また、第１壁面形成部１５は、第１遮蔽シート１７の端部と一体となって第１遮蔽シート１７を支持する部材でもある。
第１壁面形成部１５の外側面には、係合部材７を固定する固定部１８を有している。
固定部１８は、係合部材７の突起部４１を嵌挿可能な貫通孔であり、厚み方向に延びている。
第１骨組み部１６は、第１遮蔽シート１７の一部と一体となって、第１遮蔽シート１７を支持する部材であり、複数の骨部２０と、各骨部２０の端部を固定する軸部２１を有している。
骨部２０は、直線状の延びた芯材である。
軸部２１は、各骨部２０の一方の端部を固定する棒状部材であり、具体的には、ピンである。
第１遮蔽シート１７は、扇形状の可撓性シートである。
【００２５】
下部遮蔽部１１は、図４のように、第２壁面形成部２５（壁面形成部材）と、第２骨組み部２６と、第２遮蔽シート２７（遮蔽シート）を有している。
第２壁面形成部２５は、第１壁面形成部１５と対となって一つの壁面を形成するものであり、具体的には、第１壁面形成部１５と同様、略直角三角形状をしている。
また、第２壁面形成部２５は、第２遮蔽シート２７の端部と一体となって、第２遮蔽シート２７を支持する部材でもある。
第２壁面形成部２５の外側面には、係合部材７を固定する固定部２８を有している。
固定部２８は、係合部材７の突起部４２を嵌挿可能な貫通孔であり、厚み方向に延びている。
第２骨組み部２６は、第２遮蔽シート２７の一部と一体となって、第２遮蔽シート２７を支持する部材であり、複数の骨部２９と、各骨部２９の端部を固定する軸部３０を有している。
骨部２９は、直線状の延びた芯材である。
軸部３０は、各骨部２９の一方の端部を固定する棒状部材であり、具体的には、ピンである。
【００２６】
筐体部３は、図３に示されるように、遮蔽部材２の一部を収納可能な部材であり、一方方向に開放した開放空間３４（収納空間）を有した部材である。
筐体部３は、天面部３５と、底面部３６と、天面部３５と底面部３６を接続する側壁部３７，３８，３９から形成されている。
また、開放空間３４は、筐体部３の背面を形成する側壁部３８に対して直交する方向に開放した空間である。
【００２７】
接続部材５は、上部遮蔽部１０と筐体部３の天面部３５を接続する部材であり、所定の方向に付勢する部材である。具体的には、接続部材５は、バネ付きヒンジ等の付勢部材であり、筐体部３の天面部３５に対して上部遮蔽部１０を回動可能に支持可能となっている。
接続部材６は、下部遮蔽部１１と筐体部３の底面部３６を接続する部材であり、所定の方向に付勢する部材である。具体的には、接続部材６は、バネ付きヒンジ等の付勢部材であり、筐体部３の底面部３６に対して下部遮蔽部１１を回動可能に支持可能となっている。
【００２８】
係合部材７は、図３に示されるように、本体部４０と、本体部４０から一方方向に突出した２つの突起部４１，４２を有している。
突起部４１，４２は、ともに円柱状の突起であって、本体部４０から同一方向に突出している。突起部４１，４２は、径方向に互いに所定の間隔を空けて配されている。
突起部４１，４２間の距離は、閉塞姿勢時における固定部１８，２８間の距離とほぼ等しい。
【００２９】
続いて、各姿勢における各部位の位置関係について説明する。
【００３０】
まず、閉塞姿勢について説明する。
筐体部３は、空間形成部１０４の形成空間１０８（図２参照）内に嵌め込まれて設置されている。上部遮蔽部１０は、図５から読み取れるように、筐体部３の天面部３５に接続部材５（図３参照）によって固定されており、接続部材５を中心として周方向に回動するように付勢されている。
また、上部遮蔽部１０は、図５（ａ）のように、第１壁面形成部１５が遊技機島１０１の外壁面を形成するように縦姿勢で設置されており、筐体部３の開放空間３４内に第１骨組み部１６及び第１遮蔽シート１７（図４参照）が収納されている。
【００３１】
下部遮蔽部１１は、筐体部３の底面部３６に接続部材６（図３参照）によって固定されており、接続部材６を中心として周方向に回動するように付勢されている。
また、下部遮蔽部１１は、図５（ａ）のように第２壁面形成部２５が遊技機島１０１の外壁面を形成するように縦姿勢で設置されており、筐体部３の開放空間３４内に第２骨組み部２６及び第２遮蔽シート２７（図４参照）が収納されている。
【００３２】
上部遮蔽部１０と下部遮蔽部１１は、図５（ａ）のように第１壁面形成部１５の斜面と、第２壁面形成部２５の斜面が対向するように設置されており、第１壁面形成部１５と第２壁面形成部２５で一つの平面を形成している。
上部遮蔽部１０の固定部１８と下部遮蔽部１１の固定部２８は、図６のように上下方向に同一直線上に並んでいる。
係合部材７は、突起部４１が上部遮蔽部１０の固定部１８を挿通又は挿入しており、突起部４２が下部遮蔽部１１の固定部２８を挿通又は挿入している。
すなわち、係合部材７は、本体部４０が上部遮蔽部１０と下部遮蔽部１１の境界を跨がっており、突起部４１が固定部１８と係合しており、突起部４２が固定部２８と係合している。
そのため、上記したように接続部材５，６によって壁面形成部１５，２５は、開方向（互いに離反する方向であって、接続部材５，６を中心として周方向）に移動するように付勢されているが、係合部材７によって移動が規制されている。
【００３３】
続いて、使用者が係合部材７を取り外して閉塞姿勢から開放姿勢に変更する場合について説明する。
【００３４】
使用者が係合部材７を引っ張って、上部遮蔽部１０及び下部遮蔽部１１から係合部材７を引き抜くと、係合部材７の突起部４１と上部遮蔽部１０の固定部１８との係合状態が解除される。同様に係合部材７の突起部４２と下部遮蔽部１１の固定部２８との係合状態が解除される。
そのため、接続部材５，６の付勢力によって壁面形成部１５，２５は、開方向に移動し、骨部２０，２９が軸部２１，３０を中心として展開され、遮蔽シート１７，２７も骨部２０，２９に追随して展開される。換言すると、閉塞姿勢から開放姿勢への姿勢変更に伴って、壁面形成部１５，２５は、互いに離反する方向に回動し、遮蔽シート１７，２７が開放空間３４内から外部に展開される。
このとき、遮蔽シート１７，２７は、図５（ｂ），図７から読み取れるように、遊技機１００の並設方向にずれた位置に遊技機島１０１の壁面に対して直交した姿勢で広がり、喫煙する遊技者（喫煙者）と、喫煙者に隣接する遊技者の間を仕切る。そのため、上部遮蔽部１０と下部遮蔽部１１によって遊技者の喫煙に起因するタバコ煙が隣接する遊技者に流れることを防止することができる。
【００３５】
なお、開放姿勢から閉塞姿勢に姿勢を変更する場合には、壁面形成部１５，２５を筐体部３側に押し込み、突起部４１，４２を固定部１８，２８に係合させることによって元の閉塞姿勢に戻すことが可能である。
【００３６】
第１実施形態の遊技場用設備１であれば、既存の遊技機島１０１の空間形成部１０４に対して着脱可能であるため、容易に設置することができる。
すなわち、遊技機島１０１に設置する際に、遊技機島１０１に大掛かりな工事を施す必要がなく、既設の遊技機島への遊技場用設備１の取付作業が容易となり、設備投資費を抑えることができる。
【００３７】
上記した実施形態では、遊技機島１０１の空間形成部１０４に筐体部３を装着して、遮蔽部材２を遊技機島１０１に固定したが、本発明はこれに限定されるものではなく、図８から読み取れるように遊技機島１０１の空間形成部１０４の内壁面に直接接続部材５，６を介して遮蔽部材２を取り付けてもよい。また、開放姿勢において、下部遮蔽部１１を膳板１１０に固定してもよい。
【００３８】
上記した実施形態では、壁面形成部１５，２５を略直角三角形状としたが、本発明はこれに限定されるものではなく、壁面形成部によって筐体部３の開放空間３４を閉塞できればよい。例えば、壁面形成部の形状は、図９のように四角形状であってもよい。この場合、遊技機１００，１００間の距離を狭くする観点から短辺が遊技機の並設方向に並ぶことが好ましい。
【００３９】
上記した実施形態では、閉塞姿勢から開放姿勢への姿勢変更に伴って、壁面形成部１５，２５は、互いに離反する方向に回動し、遮蔽シート１７，２７が展開されたが、本発明はこれに限定されるものではなく、図１０のように壁面形成部５５，５６が同一方向に回動して、遮蔽シート２７，１７が展開されてもよいし、図１１のように壁面形成部６５，６６が互いに近接する方向に回動してもよい。
【００４０】
上記した実施形態では、２枚の遮蔽シート１７，２７によってタバコ煙を遮蔽したが、本発明はこれに限定されるものではなく、遮蔽シートの枚数は問わない。１枚でもよいし、３枚以上でもよい。
【００４１】
上記した実施形態では、閉塞姿勢において固定部１８，２８が上下方向に並んでいたが、本発明はこれに限定されるものではなく、並ぶ方向は問わない。例えば、固定部１８，２８は、遊技機１００の並設方向に並んでいてもよい。
【００４２】
上記した実施形態では、複数の遊技機１００を備えた遊技機島１０１に遊技場用設備を設けた場合について説明したが、本発明はこれに限定されるものではなく、１台の遊技機を備えた遊技機島１０１に遊技場用設備１を設けてもよい。例えば、図１２のような遊技機を１台備えた遊技機島１０１が近接して並んでいる場合に遊技場用設備１を設けてもよい。
【符号の説明】
【００４３】
１  遊技場用設備
２  遮蔽部材
１５  第１壁面形成部（壁面形成部材）
１７  第１遮蔽シート（遮蔽シート）
２５  第２壁面形成部（壁面形成部材）
２７  第２遮蔽シート（遮蔽シート）
３４  開放空間（収納空間）
１００  遊技機
１０１  遊技機島
【図１】
2015116315.tif 000003
【図２】
2015116315.tif 000004
【図３】
2015116315.tif 000005
【図４】
2015116315.tif 000006
【図５】
2015116315.tif 000007
【図６】
2015116315.tif 000008
【図７】
2015116315.tif 000009
【図８】
2015116315.tif 000010
【図９】
2015116315.tif 000011
【図１０】
2015116315.tif 000012
【図１１】
2015116315.tif 000013
【図１２】
2015116315.tif 000014